(57)【要約】      （修正有）【課題】各種材料で形成された被洗浄体を効率よく洗浄するとともに、連続して投入して処理する。【解決手段】洗浄槽内を流動する高速気流により洗浄媒体１１を飛翔させて被洗浄体２に付着した塵や粉体を除去し、除去した塵や粉体と洗浄媒体１１を気体及び塵や粉体は通過できるが洗浄媒体１１は通過できない大きさの開口を有する多孔性部材を有する分離手段１７で分離するとき、多孔性部材に対する洗浄媒体１１を流動させる気体を導入する領域と分離した塵や粉体を吸引する領域を可変し、分離して多孔性部材に積み重なった洗浄媒体１１に対して気体の導入する領域から流入する気体により再度流動を与えて飛翔させて多孔性部材に目詰りが生じることを防ぐ。【選択図】図２
2010264448.tif 000002
【特許請求の範囲】
【請求項１】
被洗浄体に付着した塵や粉体を高速気流により流動する洗浄媒体により除去する乾式洗浄装置において、
洗浄槽と分離手段と送排気手段及び移動手段を有し、
前記洗浄槽は、上面に被洗浄体を投入して蓋で密閉する被洗浄体投入口を有し、底部全体が開口して形成され、被洗浄体投入口と底部との間に洗浄媒体を通過するに十分な大きさの開口部を複数有する被洗浄体固定手段が設けられ、
前記分離手段は、前記洗浄槽の開口部に設けられ、気体及び塵や粉体は通過できるが洗浄媒体は通過できない大きさの開口を有する多孔性部材を有し、
前記送排気手段は前記分離手段の多孔性部材を介して前記洗浄槽に気体を導入する送気手段と、前記分離手段の多孔性部材を介して前記洗浄槽内の気体を外部に排出する吸引手段とを有し、
前記移動手段は、前記分離手段と前記送排気手段を相対的に移動して前記送気手段が気体を導入する前記分離手段の領域と前記吸引手段が気体を吸引する前記分離手段の領域を可変することを特徴とする乾式洗浄装置。
【請求項２】
被洗浄体に付着した塵や粉体を高速気流により流動する洗浄媒体により除去する乾式洗浄装置において、
洗浄槽と洗浄槽移動手段及び洗浄媒体飛翔手段を有し、
前記洗浄槽は、上面に被洗浄体を投入して蓋で密閉する被洗浄体投入口を有し、底部全体が開口して形成され、被洗浄体投入口と底部との間に洗浄媒体を通過するに十分な大きさの開口部を複数有する被洗浄体固定手段が設けられ、
前記洗浄槽移動手段は、前記洗浄槽を保持して間欠移動させ、
前記洗浄媒体飛翔手段は、洗浄媒体と塵や粉体を分離する分離手段と揺動手段及び昇降手段を有し、前記洗浄槽移動手段の下部に１つ又は一定間隔をおいて複数設けられ、
前記分離手段は分離部材と送排気手段を有し、前記分離部材は気体及び塵や粉体は通過できるが洗浄媒体は通過できない大きさの開口を有する多孔性部材を有し、
前記送排気手段は前記多孔性部材を介して前記洗浄槽に気体を導入する送気手段と、前記分離手段の多孔性部材を介して前記洗浄槽内の気体を外部に排出する吸引手段とを有し、
前記揺動手段は、前記分離部材と前記送排気手段を相対的に移動して前記送気手段が気体を導入する前記分離部材の領域と前記吸引手段が気体を吸引する前記分離部材の領域を可変し、
前記昇降手段は前記分離手段と揺動手段を昇降させることを特徴とする乾式洗浄装置。
【請求項３】
被洗浄体に付着した塵や粉体を高速気流により流動する洗浄媒体により除去する乾式洗浄装置において、
複数の洗浄槽と洗浄槽案内手段と送排気手段及び洗浄槽移動手段を有し、
前記洗浄槽は、上面に被洗浄体を投入して蓋で密閉する被洗浄体投入口を有し、底部全面には気体及び塵や粉体は通過できるが洗浄媒体は通過できない大きさの開口を有する多孔性部材を有し、被洗浄体投入口と底部との間には洗浄媒体を通過するに十分な大きさの開口部を複数有する被洗浄体固定手段が設けられ、
前記洗浄槽案内手段は、前記洗浄槽の移動を案内するガイド面を上面に有し、前記送排気手段と連結する吸引口と送気口の組合が前記洗浄槽の移動方向に沿って複数組配置され、
前記送排気手段は、前記洗浄槽案内手段の送気口に接続され、前記洗浄槽の多孔性部材を介して前記洗浄槽に気体を導入する送気手段と、前記洗浄槽案内手段の吸引口に接続され、前記分離手段の多孔性部材を介して前記洗浄槽内の気体を外部に排出する吸引手段とを有し、
前記洗浄槽移動手段は、前記洗浄槽を前記洗浄槽案内手段に押し付けて前記洗浄槽案内手段のガイド面に沿って移動することを特徴とする乾式洗浄装置。
【請求項４】
前記洗浄槽案内手段の吸引口と送気口の複数組の組合は前記洗浄槽が移動するときに、少なくとも１組の吸引口と送気口の組合が前記洗浄槽に接続されるように配置されている請求項３記載の乾式洗浄装置。
【請求項５】
前記洗浄槽案内手段は直線の経路で前記洗浄槽を案内する請求項３又は４記載の乾式洗浄装置。
【請求項６】
前記洗浄槽案内手段は円形の経路で前記洗浄槽を案内する請求項３又は４記載の乾式洗浄装置。
【請求項７】
前記洗浄槽案内手段の送気口は、吸引口に対して前記洗浄槽が移動する方向の近傍に設けられた請求項５又は６記載の乾式洗浄装置。
【請求項８】
前記洗浄槽案内手段の吸引口と送気口は、前記洗浄槽の移動方向に対して直交するスリット状に形成されている請求項７記載の乾式洗浄装置。
【請求項９】
前記洗浄槽案内手段の吸引口を円形に形成し、送気口を円弧状に形成して、前記洗浄槽の移動方向に対して千鳥状に配置した請求項７記載の乾式洗浄装置。
【請求項１０】
前記洗浄槽の被洗浄体固定手段は姿勢変更手段を有する請求項１乃至９のいずれかに記載の乾式洗浄装置。
【請求項１１】
前記洗浄槽の被洗浄体固定手段は姿勢変更手段を有し、該姿勢変更手段は、前記洗浄槽の移動に追従して駆動させる請求項２乃至９のいずれかに記載の乾式洗浄装置。
【請求項１２】
前記洗浄槽の移動経路に、被洗浄体に付着した洗浄媒体を分離する洗浄媒体分離手段を有する請求項２乃至１１のいずれかに記載の乾式洗浄装置。
【請求項１３】
前記送排気手段は、前記洗浄槽に導入する気体の流入方向あるいは気流形状のいずれかがそれぞれ異なる複数の送気手段を有する請求項１乃至１２のいずれかに記載の乾式洗浄装置。
【請求項１４】
前記洗浄槽に、前記洗浄槽内に飛翔している洗浄媒体を気流により加速する洗浄媒体加速手段を有する請求項１乃至１３のいずれかに記載の乾式洗浄装置。
【請求項１５】
前記洗浄媒体加速手段を、被洗浄体に対して前記送排気手段の送気手段とは反対側に設けた請求項１４記載の乾式洗浄装置。
【請求項１６】
前記洗浄槽に洗浄媒体を投入する洗浄媒体投入手段を有する請求項１乃至１５のいずれかに記載の乾式洗浄装置。
【請求項１７】
前記被洗浄体を洗浄した後に前記洗浄槽内の洗浄媒体の量を計測する洗浄媒体量計測手段を有する請求項１６記載の乾式洗浄装置。
【請求項１８】
前記洗浄媒体量計測手段で計測した洗浄媒体の量に応じて前記洗浄媒体投入手段で投入する洗浄媒体の量を制御する請求項１７記載の乾式洗浄装置。
【請求項１９】
前記洗浄槽内の洗浄媒体の使用回数に応じて前記洗浄媒体投入手段で投入する洗浄媒体の量を制御する請求項１６記載の乾式洗浄装置。
【請求項２０】
被洗浄体に付着した塵や粉体を高速気流により流動する洗浄媒体により除去する乾式洗浄装置において、
洗浄槽と洗浄槽案内手段と送排気手段及び洗浄槽駆動手段とを有し、
前記洗浄槽は、一定長さを有する円筒状に形成され、両端部以外の外周面全体は気体や粉塵を通過させるが洗浄媒体が通り抜けられない小孔やスリットを多数有する多孔性部材で覆われ、内部に洗浄媒体を通過するに十分な大きさの開口部を複数有する被洗浄体固定手段が設けられ、両端部には前記洗浄槽駆動手段と係合する連結部が設けられた蓋を有し、
前記洗浄槽案内手段は、半円筒状のガイド溝と、該ガイド溝の一部又は前部を覆う半円筒状のカバーを有し、前記ガイド溝には所定の位置に湾曲した溝状の吸引口と送気口が交互に設けられ、
前記前記送排気手段は、前記洗浄槽案内手段の送気口に接続され、前記洗浄槽の多孔性部材を介して前記洗浄槽に気体を導入する送気手段と、前記洗浄槽案内手段の吸引口に接続され、前記分離手段の多孔性部材を介して前記洗浄槽内の気体を外部に排出する吸引手段とを有し、
前記洗浄槽駆動手段は、前記洗浄槽を前記洗浄槽案内手段のガイド溝に沿って移動させる洗浄槽送り手段と、該洗浄槽送り手段の先端部に設けられ、前記洗浄槽の連結部と連結して前記洗浄槽に回転を伝達する洗浄槽回転手段を有することを特徴とする乾式洗浄装置。
【請求項２１】
前記送排気手段の送気手段と吸引手段には、気体の流路を開閉する制御弁を有する請求項１乃至２０のいずれかに記載の乾式洗浄装置。
【請求項２２】
前記送排気手段の送気手段と吸引手段に気体の流路を開閉する制御弁と、前記洗浄槽が前記送排気手段の位置に移動したことを検知したときに前記制御弁により気体の流路を開にし、前記洗浄槽が前記送排気手段の位置から移動したことを検知したときに前記制御弁により気体の流路を閉にする制御装置とを有する請求項２乃至１９のいずれかに記載の乾式洗浄装置
【請求項２３】
被洗浄体に付着した塵や粉体を高速気流により流動する洗浄媒体により除去し、除去した塵や粉体と洗浄媒体を気体及び塵や粉体は通過できるが洗浄媒体は通過できない大きさの開口を有する多孔性部材で分離する乾式洗浄方法であって、
前記多孔性部材に対する前記洗浄媒体を流動させる気体を導入する領域と分離した塵や粉体を吸引する領域を可変することを特徴とする乾式洗浄方法。
【発明の詳細な説明】
【技術分野】
【０００１】
この発明は、例えば複写機やレーザプリンタ等の電子写真方式の画像形成装置で用いられる平均粒径５μｍ〜１０μｍ程度のトナーが付着した比較的複雑な形状の部品等の各種被洗浄体に付着した塵埃や粉体を、水や溶剤を使わずに固体洗浄媒体を用いて除去する乾式洗浄装置と乾式洗浄方法、特に、被洗浄体を連続投入して処理して作業性の向上を図ることに関するものである。
【背景技術】
【０００２】
複写機、ファクシミリ、プリンタ等の事務機器メーカでは、資源循環型社会実現のために使用済みの製品や各種ユニットをユーザから回収後に分解・清掃・再組立し、部品として再使用したり、樹脂材料として利用したりするリサイクル活動を積極的に行っている。これらの製品や各種ユニットに使用されている部品を再利用するためには、分解した部品やユニットに付着している微粒子粉体であるトナーを除去して清浄化する工程が必要であり、清浄化に必要なコストや環境負荷を減らすことが大きな課題となっている。
【０００３】
この部品やユニットに付着しているトナー等の汚れを除去するために水や溶剤を使用した湿式の洗浄装置が例えば特許文献１や特許文献２に開示されている。特許文献１に示された洗浄装置は、開口部が大きい網の洗浄籠の内部に被洗浄体を固定し、洗浄籠を洗浄噴射水等の洗浄剤が噴射される移動経路に沿ってベルトコンベア等の搬送手段で搬送し、移動経路において洗浄籠の上や横から噴射される洗浄剤の流れを洗浄籠の開口部や網目を通り抜けさせて被洗浄体に衝突させ被洗浄体を洗浄している。そして被洗浄体を固定した洗浄籠を連続して搬送手段に投入することにより被洗浄体を連続して洗浄するようにしている。
【０００４】
特許文献２に示された洗浄装置は、ゲル、ゲル発泡体、ガラス、セラミック、合成樹脂等の多数の粒体を洗浄槽内において気体流により流動化状態とした後、洗浄槽内に粒体と同等の比重を有する水やシリコン液等の液体を供給し、供給した液体が粒体流動層内に分散して適当な大きさの固液凝集体を形成することによって気体の実質流路面積を減少させて粒体層内を通過する気体流速度を増加させ、これにより粒体層の流動化状態が活性化した特異三相流を発生させ、この特異三相流を被洗浄体に衝突させて洗浄効果を高めるようにしている。
【０００５】
このような湿式の洗浄装置を、トナー等の汚れが付着した部品やユニットの洗浄に使用すると、トナー等の汚物を含んだ廃液の処理及び洗浄後の乾燥処理におけるエネルギー消費や環境負荷が大きく、高コストであるという問題がある。
【０００６】
また、エアブローによる乾式洗浄方法を使用した場合、付着力の強いトナー等に対しては洗浄能力が十分ではなく、人手によるウェス拭きなどの後工程が必要なため、清浄化は製品リユース・リサイクルにおけるボトルネック工程の１つとなっている。
【０００７】
これらの問題を解決するため、特許文献３に示された乾式洗浄装置は、塵埃が静電気的に付着した複数の被洗浄体と軟質ウレタン発泡材等の弾性材からなる球状又はサイコロ状の接触部材を収容した回転収容体を回転させながら、放電電極により回転収容体の内部に被洗浄体の帯電を中和するのに必要な正負の空気イオンを放出して被洗浄体に吹きつけて被洗浄体に付着した塵埃を除去するようにしている。この回転収容体を円筒体で形成し、回転する円筒体の一方の端部に設けた投入部から被洗浄体と接触部材を投入して上流側から下流側に移動させた後、被洗浄体と接触部材を分別して取り出すことにより、被洗浄体を連続して洗浄するようにしている。
【０００８】
また、特許文献４に示された乾式洗浄装置は、洗浄槽の被洗浄体を載置する金網から構成された中底板と洗浄槽の底部との間に、粒体は通過しないが気体が通過できる開口部を有する気体吹き出し部に、鉄やアルミナ、セラミック、プラスチック等の直径５〜１０ｍｍの球体からなる粒体を載置し、洗浄槽内の空気を上蓋に設けた吸気口から吸引して洗浄槽の底部に設けた吸気口から外気を取り入れて洗浄槽内に気体の流れを形成して粒体を噴流化して被洗浄体に衝突させて被洗浄体を洗浄している。
【発明の概要】
【発明が解決しようとする課題】
【０００９】
特許文献３に示された乾式洗浄装置は、被洗浄体を連続して洗浄するために、回転する円筒体の上流側から下流側に被洗浄体と接触部材を移動させるとき、被洗浄体が互いに接触して傷つけ合うという問題があり、傷つき易い樹脂製品に適用することは困難であった。
【００１０】
また、特許文献４に示された乾式洗浄装置は、洗浄槽内に少なくとも一つの被洗浄体を投入し、一定時間後に取り出す方式のみを対象にしており、連続して被洗浄体を洗浄することはできなかった。
【００１１】
この発明は、このような短所を改善し、各種材料で形成された被洗浄体を効率よく洗浄するとともに、連続して投入して処理することができる乾式洗浄装置と乾式洗浄方法を提供することを目的とするものである。
【課題を解決するための手段】
【００１２】
この発明の乾式洗浄装置は、被洗浄体に付着した塵や粉体を高速気流により流動する洗浄媒体により除去する乾式洗浄装置において、洗浄槽と分離手段と送排気手段及び移動手段を有し、前記洗浄槽は、上面に被洗浄体を投入して蓋で密閉する被洗浄体投入口を有し、底部全体が開口して形成され、被洗浄体投入口と底部との間に洗浄媒体を通過するに十分な大きさの開口部を複数有する被洗浄体固定手段が設けられ、前記分離手段は、前記洗浄槽の開口部に設けられ、気体及び塵や粉体は通過できるが洗浄媒体は通過できない大きさの開口を有する多孔性部材を有し、前記送排気手段は前記分離手段の多孔性部材を介して前記洗浄槽に気体を導入する送気手段と、前記分離手段の多孔性部材を介して前記洗浄槽内の気体を外部に排出する吸引手段とを有し、前記移動手段は、前記分離手段と前記送排気手段を相対的に移動して前記送気手段が気体を導入する前記分離手段の領域と前記吸引手段が気体を吸引する前記分離手段の領域を可変することを特徴とする。
【００１３】
この発明の第２の乾式洗浄装置は、被洗浄体に付着した塵や粉体を高速気流により流動する洗浄媒体により除去する乾式洗浄装置において、洗浄槽と洗浄槽移動手段及び洗浄媒体飛翔手段を有し、前記洗浄槽は、上面に被洗浄体を投入して蓋で密閉する被洗浄体投入口を有し、底部全体が開口して形成され、被洗浄体投入口と底部との間に洗浄媒体を通過するに十分な大きさの開口部を複数有する被洗浄体固定手段が設けられ、前記洗浄槽移動手段は、前記洗浄槽を保持して間欠移動させ、前記洗浄媒体飛翔手段は、洗浄媒体と塵や粉体を分離する分離手段と揺動手段及び昇降手段を有し、前記洗浄槽移動手段の下部に１つ又は一定間隔をおいて複数設けられ、前記分離手段は分離部材と送排気手段を有し、前記分離部材は気体及び塵や粉体は通過できるが洗浄媒体は通過できない大きさの開口を有する多孔性部材を有し、前記送排気手段は前記多孔性部材を介して前記洗浄槽に気体を導入する送気手段と、前記分離手段の多孔性部材を介して前記洗浄槽内の気体を外部に排出する吸引手段とを有し、前記揺動手段は、前記分離部材と前記送排気手段を相対的に移動して前記送気手段が気体を導入する前記分離部材の領域と前記吸引手段が気体を吸引する前記分離部材の領域を可変し、前記昇降手段は前記分離手段と揺動手段を昇降させることを特徴とする。
【００１４】
この発明の第３の乾式洗浄装置は、被洗浄体に付着した塵や粉体を高速気流により流動する洗浄媒体により除去する乾式洗浄装置において、複数の洗浄槽と洗浄槽案内手段と送排気手段及び洗浄槽移動手段を有し、前記洗浄槽は、上面に被洗浄体を投入して蓋で密閉する被洗浄体投入口を有し、底部全面には気体及び塵や粉体は通過できるが洗浄媒体は通過できない大きさの開口を有する多孔性部材を有し、被洗浄体投入口と底部との間には洗浄媒体を通過するに十分な大きさの開口部を複数有する被洗浄体固定手段が設けられ、前記洗浄槽案内手段は、前記洗浄槽の移動を案内するガイド面を上面に有し、前記送排気手段と連結する吸引口と送気口の組合が前記洗浄槽の移動方向に沿って複数組配置され、前記送排気手段は、前記洗浄槽案内手段の送気口に接続され、前記洗浄槽の多孔性部材を介して前記洗浄槽に気体を導入する送気手段と、前記洗浄槽案内手段の吸引口に接続され、前記分離手段の多孔性部材を介して前記洗浄槽内の気体を外部に排出する吸引手段とを有し、前記洗浄槽移動手段は、前記洗浄槽を前記洗浄槽案内手段に押し付けて前記洗浄槽案内手段のガイド面に沿って移動することを特徴とする。
【００１５】
前記洗浄槽案内手段の吸引口と送気口の複数組の組合は前記洗浄槽が移動するときに、少なくとも１組の吸引口と送気口の組合が前記洗浄槽に接続されるように配置されていることが望ましい。
【００１６】
また、前記洗浄槽案内手段は直線の経路で前記洗浄槽を案内したり、円形の経路で前記洗浄槽を案内する。
【００１７】
また、前記洗浄槽案内手段の送気口は、吸引口に対して前記洗浄槽が移動する方向の近傍に設けられることが望ましい。
【００１８】
さらに、前記洗浄槽案内手段の吸引口と送気口は、前記洗浄槽の移動方向に対して直交するスリット状に形成すると良い。
【００１９】
また、前記洗浄槽案内手段の吸引口を円形に形成し、送気口を円弧状に形成して、前記洗浄槽の移動方向に対して千鳥状に配置しても良い。
【００２０】
また、前記洗浄槽の被洗浄体固定手段は姿勢変更手段を有すると良い。この姿勢変更手段を洗浄槽の移動に追従して駆動させることが望ましい。
【００２１】
また、前記洗浄槽の移動経路に、被洗浄体に付着した洗浄媒体を分離する洗浄媒体分離手段を有することが望ましい。
【００２２】
さらに、前記送排気手段は、前記洗浄槽に導入する気体の流入方向あるいは気流形状のいずれかがそれぞれ異なる複数の送気手段を有すると良い。
【００２３】
また、前記洗浄槽に、前記洗浄槽内に飛翔している洗浄媒体を気流により加速する洗浄媒体加速手段を有することが望ましい。
【００２４】
さらに、前記洗浄媒体加速手段を、被洗浄体に対して前記送排気手段の送気手段とは反対側に設けることが望ましい。
【００２５】
また、前記洗浄槽に洗浄媒体を投入する洗浄媒体投入手段を有すると良い。
【００２６】
さらに、前記被洗浄体を洗浄した後に前記洗浄槽内の洗浄媒体の量を計測する洗浄媒体量計測手段を有し、前記洗浄媒体量計測手段で計測した洗浄媒体の量に応じて前記洗浄媒体投入手段で投入する洗浄媒体の量を制御すると良い。
【００２７】
また、前記洗浄槽内の洗浄媒体の使用回数に応じて前記洗浄媒体投入手段で投入する洗浄媒体の量を制御しても良い。
【００２８】
この発明の他の乾式洗浄装置は、被洗浄体に付着した塵や粉体を高速気流により流動する洗浄媒体により除去する乾式洗浄装置において、洗浄槽と洗浄槽案内手段と送排気手段及び洗浄槽駆動手段とを有し、前記洗浄槽は、一定長さを有する円筒状に形成され、両端部以外の外周面全体は気体や粉塵を通過させるが洗浄媒体が通り抜けられない小孔やスリットを多数有する多孔性部材で覆われ、内部に洗浄媒体を通過するに十分な大きさの開口部を複数有する被洗浄体固定手段が設けられ、両端部には前記洗浄槽駆動手段と係合する連結部が設けられた蓋を有し、前記洗浄槽案内手段は、半円筒状のガイド溝と、該ガイド溝の一部又は前部を覆う半円筒状のカバーを有し、前記ガイド溝には所定の位置に湾曲した溝状の吸引口と送気口が交互に設けられ、前記前記送排気手段は、前記洗浄槽案内手段の送気口に接続され、前記洗浄槽の多孔性部材を介して前記洗浄槽に気体を導入する送気手段と、前記洗浄槽案内手段の吸引口に接続され、前記分離手段の多孔性部材を介して前記洗浄槽内の気体を外部に排出する吸引手段とを有し、前記洗浄槽駆動手段は、前記洗浄槽を前記洗浄槽案内手段のガイド溝に沿って移動させる洗浄槽送り手段と、該洗浄槽送り手段の先端部に設けられ、前記洗浄槽の連結部と連結して前記洗浄槽に回転を伝達する洗浄槽回転手段を有することを特徴とする。
【００２９】
前記送排気手段の送気手段と吸引手段には、気体の流路を開閉する制御弁を有することが望ましい。そして洗浄槽が送排気手段の位置に移動したことを検知したときに制御弁により気体の流路を開にし、洗浄槽が送排気手段の位置から移動したことを検知したときに制御弁により気体の流路を閉にする制御装置を有すると良い。
【００３０】
この発明の乾式洗浄方法は、被洗浄体に付着した塵や粉体を高速気流により流動する洗浄媒体により除去し、除去した塵や粉体と洗浄媒体を気体及び塵や粉体は通過できるが洗浄媒体は通過できない大きさの開口を有する多孔性部材で分離する乾式洗浄方法であって、前記多孔性部材に対する前記洗浄媒体を流動させる気体を導入する領域と分離した塵や粉体を吸引する領域を可変することを特徴とする。
【発明の効果】
【００３１】
この発明は、被洗浄体に付着した塵や粉体を高速気流により流動する洗浄媒体により除去し、除去した塵や粉体と洗浄媒体を分離する多孔性部材の洗浄媒体を流動させる気体を導入する領域と分離した塵や粉体を吸引する領域を可変することにより、分離して多孔性部材に積み重なった洗浄媒体に対して気体の導入する領域から流入する気体により再度流動を与えて飛翔させるから、洗浄媒体によって多孔性部材に目詰りが生じることを防ぐことができ、洗浄媒体を連続的に洗浄して洗浄効率を向上することができる。
【００３２】
また、洗浄槽を移動する洗浄槽移動手段の下部に１つ又は一定間隔をおいて複数の洗浄媒体飛翔手段を設け、洗浄槽移動手段で洗浄槽を移動させて洗浄媒体飛翔手段で洗浄槽内の洗浄媒体に流動を与えることにより、洗浄槽を連続的に投入することができ、洗浄槽に収納した被洗浄体を連続的に洗浄することができる。
【００３３】
さらに、洗浄槽に除去した塵や粉体と洗浄媒体を分離する多孔性部材を設け、この洗浄槽を、送排気手段と連結する吸引口と送気口の組合が洗浄槽の移動方向に沿って複数組配置された洗浄槽案内手段に沿って移動することにより、洗浄槽内に洗浄媒体を飛翔させるのに必要な気流を容易に発生できるとともに、複数の洗浄槽内の被洗浄体を同時に洗浄することができ、洗浄効率をより向上することができる。
【００３４】
また、洗浄槽案内手段の吸引口と送気口の複数組の組合は洗浄槽が移動するときに、少なくとも１組の吸引口と送気口の組合が洗浄槽に接続されるように配置されていることにより、洗浄槽の多孔性部材の目詰りを防止しながら材洗浄槽内の被洗浄体を連続して洗浄することができ、洗浄効率を向上することができる。
【００３５】
さらに、洗浄槽案内手段は直線の経路で洗浄槽を案内することにより、簡単な構成で複数の洗浄槽を連続投入することができ、多数の被洗浄体を効率良く洗浄することができる。
【００３６】
また、洗浄槽案内手段は円形の経路で洗浄槽を案内することにより、複数の洗浄槽を連続投入できるとともに小さなスペースで比較的長い洗浄槽移動経路を確保して被洗浄体を連続的に洗浄することができる。また、１個所の投入部で洗浄媒体や被洗浄体の投入と取り出しを行うことができ、作業者の負担を軽減することができる。
【００３７】
また、洗浄槽案内手段の送気口は、吸引口に対して前記洗浄槽が移動する方向の近傍に設けることにより、洗浄槽の多孔性部材の目詰りを確実に防止することができる。
【００３８】
さらに、洗浄槽案内手段の吸引口と送気口は、前記洗浄槽の移動方向に対して直交するスリット状に形成することにより、洗浄媒体を吸引口の近傍に集合させてスリット状の送気口から噴出する圧縮空気によって洗浄槽内に飛翔させることにより、洗浄媒体を被洗浄体全体に衝突させることができ、被洗浄体の広い領域を洗浄して洗浄効果を高めることができる。
【００３９】
また、吸引口を円形に形成し、送気口を円弧状に形成して、洗浄槽の進行方向に対して千鳥状に配置することにより、洗浄媒体を洗浄槽内の被洗浄体に対して斜め下方向から飛翔させることができ、洗浄媒体を被洗浄体の側面に対して衝突しやすくして、かつ被洗浄体の左右両方から交互に衝突させることができ、立体的な厚みのある被洗浄体全面の洗浄効果を高めることができる。
【００４０】
また、洗浄槽の被洗浄体固定手段に姿勢変更手段を有することにより、被洗浄体の全面を効率よく洗浄することができる。この姿勢変更手段を洗浄槽の移動に追従して駆動させることにより、特別の駆動手段を必要としないで姿勢変更手段を駆動することができる。
【００４１】
また、洗浄槽の移動経路に、被洗浄体に付着した洗浄媒体を分離する洗浄媒体分離手段を設け、洗浄した被洗浄体に付着した洗浄媒体を洗浄媒体から分離することにより、より確実に洗浄媒体を被洗浄体から分離することができる。
【００４２】
さらに、送排気手段は、洗浄槽に導入する気体の流入方向あるいは気流形状のいずれかがそれぞれ異なる複数の送気手段を有することにより、洗浄槽内部の被洗浄体には異なる角度から流入する気流によって加速された洗浄媒体を衝突させることができ、立体的な被洗浄体であっても、ムラ無く洗浄することができる。
【００４３】
また、洗浄槽に、洗浄槽内に飛翔している洗浄媒体を気流により加速する洗浄媒体加速手段をもうけ、被洗浄体に衝突させる洗浄媒体を加速することにより、被洗浄体をより効率良く洗浄することができる。さらに、洗浄媒体加速手段を、被洗浄体に対して送排気手段の送気手段とは反対側に設けることにより、被洗浄体の全面をムラなく洗浄することができる。
【００４４】
また、洗浄槽に洗浄媒体を投入する洗浄媒体投入手段を設けることにより、洗浄槽に洗浄媒体を容易に補充することができる。
【００４５】
さらに、被洗浄体を洗浄した後に洗浄槽内の洗浄媒体の量を計測する洗浄媒体量計測手段を有することにより、洗浄媒体の消耗量を確実に検知することができる。
【００４６】
また、洗浄媒体量計測手段で計測した洗浄媒体の量に応じて洗浄媒体投入手段で投入する洗浄媒体の量を制御することにより、洗浄槽に洗浄媒体を自動で補充することができるとともに洗浄槽内の洗浄媒体の量を適正に保持して被洗浄体を安定して洗浄することができる。
【００４７】
また、洗浄槽内の洗浄媒体の使用回数に応じて洗浄媒体投入手段で投入する洗浄媒体の量を制御することにより、洗浄槽に洗浄媒体を自動で補充することができるとともに洗浄槽内の洗浄媒体の量を適正に保持して被洗浄体を確実に洗浄することができる。
【００４８】
さらに、洗浄槽を円筒状に形成し外周面を多孔性部材で覆い、この洗浄槽を回転しながら洗浄媒体を気体で流動させることにより、多孔性部材の目詰りを防止しながら被洗浄体の全面をムラなく洗浄することができる。
【００４９】
また、送排気手段の送気手段と吸引手段には、気体の流路を開閉する制御弁を設け、洗浄槽が送排気手段の位置に移動したときに制御弁により気体の流路を開にし、洗浄槽が送排気手段の位置から移動したときに制御弁により気体の流路を閉にすることにより、余分な圧縮空気や余分な吸引力を使用しないで済み、省エネルギを図ることができる。
【図面の簡単な説明】
【００５０】
【図１】この発明の乾式洗浄装置の構成図である。
【図２】乾式洗浄装置の構成を示す断面図である。
【図３】制御装置と各種入出力手段の構成を示すブロック図である。
【図４】被洗浄体に付着した粒体を洗浄媒体で除去する状態を示す模式図である。
【図５】洗浄媒体の飛翔状態を示す断面図である。
【図６】第２の乾式洗浄装置の構成図である。
【図７】第２の乾式洗浄装置の構成を示す部分断面図である。
【図８】第２の乾式洗浄装置のリニアガイドに設けた吸引口と送気口の配置図である。
【図９】第２の乾式洗浄装置の制御装置と各種入出力手段の構成を示すブロック図である。
【図１０】第２の乾式洗浄装置の他の構成図である。
【図１１】第３の乾式洗浄装置の構成を示す分解斜視図である。
【図１２】第３の乾式洗浄装置の構成を示す斜視図である。
【図１３】第３の乾式洗浄装置の他の構成を示す斜視図である。
【図１４】洗浄媒体量計測手段を有する計測部の構成を示す部分断面図である。
【図１５】第３の乾式洗浄装置の制御装置と各種入出力手段の構成を示すブロック図である。
【図１６】洗浄槽に設けた被洗浄体固定手段の構成を示す断面図である。
【図１７】洗浄媒体加速手段を有する洗浄槽の構成を示す断面図である。
【図１８】第４の乾式洗浄装置の構成を示す斜視図である。
【発明を実施するための形態】
【００５１】
図１はこの発明の乾式洗浄装置の機構構成図である。乾式洗浄装置１は被洗浄体２に付着したトナー等の粉塵を高速気流により流動する洗浄媒体により除去するものであり、洗浄槽３と洗浄槽移動手段４及び洗浄媒体飛翔手段５を有する。
【００５２】
洗浄槽３は、図２の断面図に示すように、洗浄槽本体６と被洗浄体固定手段７及び蓋８を有する。洗浄槽本体６は上面に被洗浄体２を投入する被洗浄体投入口９を有し、底部全体が開口して形成され、上端外周部に洗浄槽移動手段４と連結するガイド部１０を有する。被洗浄体固定手段７は、洗浄媒体１１を通過するに十分な大きさの開口部１２を複数有し、例えば金網やプラスチック網、ネット等で形成され、洗浄槽本体６の被洗浄体投入口９と底部との中間に設けられている。
【００５３】
洗浄槽移動手段４は、１対のスライドレール１３と１又は複数のスライドステージ１４を有する。スライドステージ１４は洗浄槽３を保持し、図３のブロック図に示すように、制御装置１５により駆動制御される。例えばワイヤ駆動機構やリニアモータを有するステージ駆動手段１６によりスライドレール１３に沿って間欠移動する。
【００５４】
洗浄媒体飛翔手段５は、洗浄媒体１１と粉塵を分離する分離手段１７と揺動手段１８及び昇降手段１９を有し、１対のスライドレール１３の下部に１つ又は一定間隔をおいて複数設けられている。分離手段１７は分離部材２０と固定板２１と吸引管２２及び送気管２３を有する。分離部材２０は気体や粉塵を通過させるが洗浄媒体１１が通り抜けられない小孔やスリットを多数有し、例えば金網、プラスチック網、メッシュ、ネット、不織布やスポンジのフィルム、パンチメタル板、ハニカム板、多孔質板又はスリット板等の多孔性部材２４と、多孔性部材２４を保持する保持枠２５とを有し、固定板２１の上面に１対のスライドレール１３と直交する方向に揺動自在に設けられている。この分離部材２０は揺動したときも洗浄槽３の底部開口を覆うように、洗浄槽３の底部開口より大きく形成されている。固定板２１は吸引管２２を連結する吸引口２６と、吸引口２６に対して分離部材２０の揺動方向の両側に設けられ、送気管２３を連結する送気口２７を有する。吸引管２２は一方の端部が固定板２１の吸気口２６に連結され、他方の端部はブロワー等の吸引装置に連結されている。送気管２３は先端部にノズル２８を有し、ノズル２８が固定板２１の送気口２７に連結され、他方の端部は圧縮機等の圧縮空気供給装置に連結されている。この吸引管２２と送気管２３にはそれぞれ制御装置１５からの制御信号により開閉する吸引バルブ２９と送気バルブ３０を有する。揺動手段１８は分離手段１７の分離部材２０と係合するカム３１と、カム３１を回転する揺動モータ３２と、分離部材２０のカム３１との係合部と反対側に設けられ、分離部材２０に対してカム３１側に押圧力を与える圧縮バネや緩衝器等からなり、分離部材２０の位置決めを行う位置規制手段３３を有する。昇降手段１９は例えばエアーシリンダと上昇端検出センサ及び下降端検出センサを有し、分離手段１７と揺動手段１８を昇降させる。この洗浄媒体飛翔手段５が設けられた位置にはスライドステージ１４の載置した洗浄槽３を検出して制御装置１５に送る位置センサ３４を有する。
【００５５】
この乾式洗浄装置１に使用する洗浄媒体１１は、金属やセラミクス、合成樹脂、スポンジ、布等の粒状、棒状、筒状、繊維状又は薄片状の固体から形成され、被洗浄体２の形状や材質などの特性や被洗浄体２に付着している塵埃の粒径や付着強度に応じて選択すれば良い。例えば電子写真方式の画像形成装置に使用する平均粒径５μｍ〜１０μｍのトナー粉体が付着した合成樹脂や金属製の構成部品からトナー粉体を除去するには樹脂フィルム片や布片、紙片、金属薄片等の薄片状の洗浄媒体１１が望ましい。
【００５６】
このように薄片状の洗浄媒体１１を使用する理由として、薄片状の洗浄媒体１１は投影面積が大きい方向に気流の力が作用した場合、空気抵抗力に対する質量が非常に小さいため気流によって容易に加速されて高速飛翔する。また、投影面積が小さい方向には空気抵抗が小さく、その方向へ飛翔した場合、高速運動が長距離維持される。このため洗浄媒体１１の持つエネルギが大きく、被洗浄体２に接触したときに作用する力が大きくなって付着した塵埃を有効に除去することができるとともに洗浄媒体１１が洗浄槽３の中で繰返し循環して被洗浄体２に接触する頻度が増すので洗浄効率を高めることができる。
【００５７】
また、薄片状の洗浄媒体１１は、姿勢によって空気抵抗が大きく変化するため、気流に沿って動くだけでなく急に方向を変えるなど複雑な運動をする。さらに、高速気流の作用によって被洗浄体固定手段７の開口部１２や被洗浄体２により乱流が発生する。質量に比して空気抵抗を受けやすい薄片状の洗浄媒体１１は乱気流への追従性が高く複雑な運動をし、乱流の渦によって自転して回転する。このため薄片状の洗浄媒体１１が被洗浄体２に繰返し接触するので比較的複雑な形状の被洗浄体２の洗浄効率を高めることができる。
【００５８】
また、図４に示すように、薄片状の洗浄媒体１１が端部から被洗浄体２に衝突した場合、接触力が洗浄媒体１１のエッジに集中するため、質量が小さいにもかかわらず粉塵等の除去に必要な力が得られる。また、被洗浄体２に対する接触力が大きくなると撓んで力を逃がすため、一般的なブラストショット材やバレル加工用の研磨材等とは異なり、必要以上の力を被洗浄体２に加えることがなく、被洗浄体２を傷つけないですむ。さらに、薄片状の洗浄媒体１１が被洗浄体２に衝突したときに撓んで空気から受ける粘性抵抗が大きく作用して非弾性衝突となり、跳ね返りが起こりにくく、斜め衝突の場合は滑り接触して一度の衝突で被洗浄体２の広い面積に接触しながら移動し、この接触による掻き取り作用や摺擦作用により被洗浄体２に付着したトナー粒子に対して接触面に平行な力を作用させ、小さい力でトナー粒子を被洗浄体２から分離して洗浄効率を高めることができる。
【００５９】
さらに、薄片状の洗浄媒体１１は分離部材２０に衝突したときの変形や振動により付着した塵埃等の粒子を容易に分離することができ、塵埃等の粒子が被洗浄体２に再付着することを防ぐことができる。
【００６０】
このように薄片状の洗浄媒体１１は被洗浄体２に付着したトナー粒子等の塵埃を効率良く除去できるから、使用量がごくわずかで済み、環境負荷やランニングコストを低くすることができる。
【００６１】
この薄片状の洗浄媒体１１を洗浄槽３内で飛翔させて循環させ、被洗浄体２に付着したトナー粒子等の塵埃を除去する動作を説明する。
【００６２】
洗浄媒体飛翔手段５の分離手段１７には薄片状の洗浄媒体１１をあらかじめ積み上げ、この分離手段１７と揺動手段１８を昇降手段１９であらかじめ設定した下降端まで下降させておく。この状態でスライドレール１３の洗浄槽投入側で洗浄槽３の被洗浄体固定手段７に被洗浄体２を固定し、洗浄槽３の被洗浄体投入口９を蓋８で密閉する。この被洗浄体２を保持した洗浄槽３をスライドステージ１４に順次載置してステージ駆動手段１６で順次移動する。洗浄槽３を載置したスライドステージ１４が洗浄媒体飛翔手段５の位置に達して位置センサ３４でスライドステージ１４に載置した洗浄槽３を検出すると、制御装置１５はステージ駆動手段１６によるスライドステージ１４の移動を停止させ、所定のタイミングをおいて昇降手段１９により分離手段１７と揺動手段１８を上昇させる。分離手段１７と揺動手段１８が上昇端に達して分離手段１７の分離部材２０が洗浄槽本体６に所定の圧力で接触すると、制御装置１５は吸引バルブ２９と送気バルブ３０を開にして、吸引管２２で洗浄槽３内の空気を吸引し、送気管２３のノズル２８から圧縮空気を洗浄槽３内に噴出させて洗浄槽３内で高速の気流を発生させ、分離部材２０に積み上げた洗浄媒体１１を飛翔撹拌させ、同時に揺動手段１８の揺動モータ３２を駆動して分離手段１７を揺動させる。この洗浄媒体１１を飛翔させるときの高速気流は、少なくとも１０ｍ／ｓ以上、より好ましくは５０ｍ／ｓ以上の流速で、洗浄媒体１１を５ｍ／ｓ、より好ましくは１０ｍ／ｓの速度で飛翔させると良い。
【００６３】
飛翔した洗浄媒体１１は、図５の洗浄媒体１１の挙動図（ａ）に示すように、被洗浄体固定手段７の開口部１２を通り飛翔して被洗浄体２に衝突して被洗浄体２に付着しているトナー粒子等の粉体を分離する。洗浄媒体１１と分離された粉体は吸引管２２で吸引することにより生じる気流によって分離部材２０に衝突し、分離された粉体は分離部材２０を通って吸引され、洗浄媒体１１に付着した粉体は洗浄媒体１１から分離して分離部材２０を通って吸引されて除去される。また、粉体を分離した洗浄媒体１１は気流によりクリーニングされ、分離部材２０の吸引管２２を接続した吸引口２６に対応する位置近傍に堆積する。このままの状態では堆積した洗浄媒体１１により分離部材２０に目詰りを起こして吸引力を低下させ、洗浄媒体１１を飛翔させる気流の速度が低下してしまう。そこで揺動手段１８で分離部材２０を水平方向に移動して、図５（ｂ）に示すように、分離部材２０の洗浄媒体１１を堆積した位置を送気管２３のノズル２８が連結した送気口２７に対応する位置近傍に移動し、堆積した洗浄媒体１１をノズル２８から噴出する圧縮空気で飛翔させる。この分離部材２０の水平方向の移動を揺動手段１８で吸引口２６に対応する位置を中心にして両側で往復させて分離部材２０に堆積した洗浄媒体１１を確実に飛翔させ、分離部材２０に目詰りが生じることを防ぐ。このようにして洗浄槽３内の気流を常に高速に維持することができ、飛翔する洗浄媒体１１で被洗浄体２に付着したトナー粒子等の粉体を安定して除去することができる。
【００６４】
この処理を被洗浄体２が十分に洗浄されるまで一定時間継続した後、制御装置１５は送気バルブ３０を閉にして送気管２３のノズル２８による圧縮空気の噴出を停止し、揺動手段１８による分離部材２０の揺動を停止する。洗浄槽３に対する圧縮空気の噴出と分離部材２０の揺動を停止すると、洗浄槽３内で飛翔している洗浄媒体１１や被洗浄体２等に付着している洗浄媒体１１は分離手段１７の吸引口２６に対応する分離部材２０の位置に吸引されて堆積する。制御装置１５は吸引管２２による吸引を所定時間行った後、吸引バルブ２９を閉にして昇降手段１９により分離手段１７と揺動手段１８を下降させ、下降端に達したらステージ駆動手段１６を駆動して洗浄槽３を載置したスライドステージ１４を前進させ、次に処理する被洗浄物２を固定した洗浄槽３を載置したスライドステージ１４が洗浄媒体飛翔手段５の位置に達したらスライドステージ１４に移動を停止して、前記処理を繰り返す。
【００６５】
このようにして被洗浄物２を連続して洗浄することができ、洗浄効率を向上することができる。また、洗浄槽３を載置したスライドステージ１４が洗浄媒体飛翔手段５の位置にあるときだけ洗浄槽３に圧縮空気を噴出して洗浄槽３内の空気を吸引するから、余分な圧縮空気や余分な吸引力を使用しないで済み、省エネルギを図ることができる。
【００６６】
前記説明では分離部材２０の洗浄媒体１１による目詰りを防止するために、分離手段１７の分離部材２０を往復移動した場合について説明したが、分離部材２０を固定して吸引管２２と送気管２３を接続した固定板２１を往復移動して分離部材２０の洗浄槽３内の空気を吸引する領域と圧縮空気を噴出する領域とを切り換えるようにしても良い。
【００６７】
また、前記説明では分離部材２０の洗浄媒体１１による目詰りを防止するために、分離部材２０や吸引管２２と送気管２３を接続した固定板２１を往復移動して分離部材２０の空気を吸引する領域と圧縮空気を噴出する領域とを切り換える場合について説明したが、洗浄槽３を間欠的に移動して分離部材２０の空気を吸引する領域と圧縮空気を噴出する領域とを切り換えるようにしても良い。
【００６８】
この洗浄槽３を間欠的に移動して分離部材２０の空気を吸引する領域と圧縮空気を噴出する領域とを切り換える第２の乾式洗浄装置１ａは、図６の構成図に示すように、複数の洗浄槽３ａを載置するリニアガイド３５と、リニアガイド３５に連結された複数の吸引管２２と送気管２３と、リニアガイド３５に載置した洗浄槽３ａを押し付けて移動させる洗浄槽移動手段３６を有する。
【００６９】
洗浄槽３ａの洗浄槽本体６は、図７の構成図に示すように、上面に被洗浄体２を投入する被洗浄体投入口９と被洗浄体投入口９を密閉する蓋８を有し、底部には気体や粉塵を通過させるが洗浄媒体１１が通り抜けられない小孔やスリットを多数有する多孔性部材２４が設けられ、側壁の下端部全体は例えばニトリルゴムやフッ化ビニリデン系ゴム等のゴムや合成樹脂で形成されたシール部材３７でシールされている。この洗浄槽本体６の被洗浄体投入口９と多孔性部材２４との中間に洗浄媒体１１を通過するに十分な大きさの開口部１２を複数有する被洗浄体固定手段７が設けられている。
【００７０】
リニアガイド３５には、洗浄槽３ａの移動を案内する平面からなるガイド面を上面に有し、図８に示すように、洗浄槽３ａに移動方向に対して吸引管２２と送気管２３とを連結する吸引口２６と、吸引口２６に対して洗浄槽３ａが移動する方向の近傍に設けられた送気口２７との組合が洗浄槽３ａの移動方向の幅より狭い間隔で複数組配置されている。この吸引口２６と送気口２７は、図８（ａ）に示すように、洗浄槽３ａの移動方向に対して直角のスリット状に形成したり、あるいは図８（ｂ）に示すように、吸引口２６を円形に形成し、送気口２７を円弧状に形成して、洗浄槽３ａの進行方向に対して千鳥状に配置している。この吸引口２６と送気口２７の組合が設けられた位置にはそれぞれ洗浄槽３ａを検出する位置センサ３４が設けられている。吸引管２２は一方の端部がリニアガイド３５の吸気口２６に連結され、他方の端部はブロワー等の吸引装置に連結されている。送気管２３は先端部にノズル２８を有し、ノズル２８がリニアガイド３５の送気口２７に連結され、他方の端部は圧縮機等の圧縮空気供給装置に連結されている。この吸引管２２と送気管２３には、図９のブロック図に示すように、制御装置１５ａからの制御信号により開閉する吸引バルブ２９と送気バルブ３０を有する。
【００７１】
洗浄槽移動手段３６は、洗浄槽固定用つめ３８を備えた洗浄槽駆動ベルト３９と、洗浄槽３ａをリニアガイド３５に押し付ける洗浄槽押付ローラ４０とを有するベルトコンベア機構で構成され、図９に示すように、制御装置１５ａからのベルト駆動制御信号により動作するベルト駆動モータを有するベルト駆動手段４１により駆動される。
【００７２】
この乾式洗浄装置１ａで薄片状の洗浄媒体１１を洗浄槽３内で飛翔させて循環させ、被洗浄体２に付着したトナー粒子等の塵埃を除去する動作を説明する。
【００７３】
まず、洗浄槽移動手段３６の洗浄槽３ａを移動する方向の上流側に設けた投入部で洗浄槽３ａの蓋８を開けた状態で洗浄槽３ａ内に薄片状の洗浄媒体１１を投入する。この洗浄媒体１１は、複数の開口部１２を有する被洗浄体固定手段７を通過して多孔性部材２４上に保持される。次に被洗浄体２を洗浄槽３ａ内に入れて被洗浄体固定手段７に固定し、蓋８を閉じて洗浄槽３ａの被洗浄体投入口９を密閉する。この洗浄槽３ａをリニアガイド３５に載置して乾式洗浄装置１ａに連続的に投入する。乾式洗浄装置１ａに投入された各洗浄槽３ａは洗浄槽移動手段３６の洗浄槽駆動ベルト３９の摩擦と洗浄槽固定用つめ３８によってリニアガイド３５に案内されながら一定方向に一定間隔をおいて送られる。この送られている洗浄槽３ａが吸引口２６と送気口２７の組合が設けられた位置に達したことを位置センサ３４で検出すると、制御装置１５ａは吸引バルブ２９と送気バルブ３０を開にして、吸引管２２で洗浄槽３ａ内の空気を吸引し、送気管２３のノズル２８から圧縮空気を洗浄槽３ａ内に噴出させて洗浄槽３ａ内で高速の気流を発生させ、多孔性部材２４上に保持した洗浄媒体１１を飛翔させる。飛翔した洗浄媒体１１は被洗浄体固定手段７の開口部１２を通り飛翔して被洗浄体２に衝突して被洗浄体２に付着しているトナー粒子等の粉体を分離する。洗浄媒体１１と分離された粉体は吸引管２２で吸引することにより生じる気流によって多孔性部材２４に衝突し、分離された粉体は多孔性部材２４を通って吸引され、洗浄媒体１１に付着した粉体は洗浄媒体１１から分離して多孔性部材２４を通って吸引されて除去される。また、粉体を分離した洗浄媒体１１は気流によりクリーニングされ、多孔性部材２４の吸引口２６に対応する位置近傍に堆積する。この状態で洗浄槽３ａが送られると多孔性部材２４上に堆積した洗浄媒体１１も多孔性部材２４との摩擦により移動して送気口２７から噴出している圧縮空気により再び飛翔して被洗浄体２に衝突して被洗浄体２を洗浄する。
【００７４】
このように洗浄槽３ａ内で洗浄媒体１１を飛翔させる送気口２７と吸引口２６を、図８（ａ）に示すように、スリット状に形成して交互に配置にすることにより、洗浄媒体１１を吸引口２６の近傍にスリット状に集合させ、この集合した洗浄媒体１１をスリット状の送気口２７から噴出する圧縮空気によって洗浄槽３ａ内に飛翔させることにより、洗浄媒体１１を移動している被洗浄体２全体を走査するように被洗浄体２に衝突させることができ、被洗浄体２の広い領域を洗浄して洗浄効果を高めることができる。
【００７５】
また、図８（ｂ）に示すように、吸引口２６を円形に形成し、送気口２７を円弧状に形成して、洗浄槽３ａの進行方向に対して千鳥状に配置することにより、洗浄媒体１１を洗浄槽３ａ内の被洗浄体２に対して斜め下方向から飛翔させることができ、洗浄媒体１１を被洗浄体２の側面に対して衝突しやすくして、かつ被洗浄体２の左右両方から交互に衝突させることができ、立体的な厚みのある被洗浄体２全面の洗浄効果を高めることができる。また、吸引口２６と送気口２７は少なくとも１組が常に洗浄槽３ａの内側に接するような間隔で配置されているから、洗浄槽３ａがリニアガイド３５のどの位置にあっても洗浄槽３ａ内に気流を発生することができ、洗浄媒体１１を連続して飛翔させることができ、洗浄効果をより高めることができる。
【００７６】
また、このように被洗浄体２と洗浄媒体１１を投入した洗浄槽３ａを洗浄槽移動手段３６で連続的に移動させるから、被洗浄体２を連続的に洗浄させることができる。
【００７７】
さらに、リニアガイド３５に設けられた複数の送気口２７の一部をリニアガイド３５に所定角度傾けて形成して送気管２３の先端部に設けたノズル２８を連結すると良い。例えば図１０の構成図に示すように、リニアガイド３５に設けられた複数の送気口２７を洗浄槽３ａの移動方向に対してそれぞれ45度の角度をなす送気口２７ａと、90度の角度をなす送気口２７ｂと135度の角度をなす送気口２７ｃを適切に配置し、各送気口２７ａ〜２７ｃに送気管２３の先端部に設けたノズル２８を連結して、リニアガイド３５で移動する洗浄槽３ａの位置毎に洗浄槽３ａ内部に異なる方向の気流を噴出させる。このようにしてリニアガイド３５で移動する洗浄槽３ａの位置毎に洗浄槽３ａ内部の被洗浄体２には、45度、90度、135度の角度から流入する空気によって加速された洗浄媒体１１が衝突し、これらの角度に相対する被洗浄体２の汚れを除去することができる。したがって立体的な被洗浄体２であっても、ムラ無く洗浄することができる。
【００７８】
図１０では送気口２７ａ，２７ｃを洗浄槽３ａの移動方向に対して傾けた場合について示したが、送気口７の一部を任意の方向に傾けて形成しても良い。また、送気口７に気流の噴出方向の異なる各種のノズル２８を連結して、洗浄槽３ａ内に流入する空気流の噴出方向や噴出パターンを変えるようにしても良い。このように噴出方向や噴出パターンが異なる空気流により加速された洗浄媒体１１が被洗浄体２に当たることによって、被洗浄体２の洗浄範囲を補間しあい、被洗浄体２の全体を確実に洗浄することができる。
【００７９】
また、図１０に示すように、洗浄槽移動手段３６の洗浄槽３ａを移動する方向の下流側に設けた洗浄槽取出口の手前においては、リニアガイド３５に吸引口２６だけを設けて吸引管２２を連結すると良い。このようにリニアガイド３５の洗浄槽取出口の手前に吸引口２６だけを設けることにより、洗浄槽３ａがリニアガイド３５から排出される手前において、洗浄槽３ａ内を吸引して洗浄媒体１１を飛翔しないように多孔性部材２４上に固定して洗浄媒体１１が飛散することを防ぐから、被洗浄体２に付着した洗浄媒体１１は吸引によって発生する気流で被洗浄体２から分離されて再付着しないようにすることができる。また、洗浄槽３ａ内を吸引している状態で、作業者が洗浄槽３ａの蓋８を開けて、上からエアガン等で被洗浄体２に空気流を吹き付けても良い。このようにエアガン等による空気流で被洗浄体２から吹き払われた洗浄媒体１１は多孔性部材２４上に吸引された固定されるため飛散しないで、より確実に洗浄媒体１１を被洗浄体２から分離することができる。
【００８０】
前記乾式洗浄装置１ａは複数の洗浄槽３ａをリニアガイド３５に沿って連続的に移動して被洗浄体２を洗浄する場合について説明したが、図１１の分解斜視図と図１２の斜視図に示すように、複数の洗浄槽３ａを回転テーブル４２の同一円周に沿って設け、回転テーブル４２を回転するテーブル駆動手段４３に吸引管２２と送気管２３を連結するスリット状の吸引口２６と送気口２７の組合を回転テーブル４２に設けた洗浄槽３ａと同一の円周に沿って被洗浄体２の投入部４４を除いて複数組も設けても良い。
【００８１】
この回転台式の乾式洗浄装置１ｂは投入部４４で十分な量の洗浄媒体１１と被洗浄体２を洗浄槽３ａに投入し、回転テーブル４２を一定の送り角度で間欠的に回転させて各洗浄槽３ａをテーブル駆動手段４３の吸引口２６と送気口２７を設けた位置に移動して停止させ、吸引バルブ２９と送気バルブ３０を開にして、吸引管２２で洗浄槽３ａ内の空気を吸引し、送気管２３のノズル２８から圧縮空気を洗浄槽３ａ内に噴出させて洗浄槽３ａ内で高速の気流を発生させながらテーブル駆動手段４３で回転テーブル４２を少なくとも吸引口２６と送気口２７の間隔に応じた振幅で往復回動させる。このようにして洗浄槽３ａ内に高速気流を発生させるとともに洗浄槽３ａの多孔性部材２４上に堆積した洗浄媒体１１を連続的に飛翔させることができる。この洗浄槽３ａが１回転して投入部４４に達したら、洗浄槽３ａ内の被洗浄体２を取り出して洗浄動作を繰り返す。
【００８２】
このように洗浄槽３ａを同一円周上で回転することにより、小さなスペースで比較的長い洗浄槽移動経路を確保して被洗浄体２を連続的に洗浄することができるとともに、１個所の投入部４４で洗浄媒体１１や被洗浄体２の投入と取り出しを行うことができ、作業者の負担を軽減することができる。
【００８３】
この乾式洗浄装置１ｂで洗浄媒体１１を連続して使用して被洗浄体２を洗浄していると、洗浄媒体１１は磨耗して吸引されて排出されたり、被洗浄体２に付着して洗浄槽３ａ外に排出されることにより洗浄媒体の量が減少する。このため定期的に洗浄媒体１１を補充することが必要である。そこで、図１３の斜視図に示すように、回転テーブル４２による洗浄槽３ａの洗浄槽移動経路の投入部４４より回転テーブル４２の回転方向の上流側に洗浄媒体投入部４５と計測部４６と排出部４７を設け、洗浄媒体投入部４５に洗浄媒体自動投入装置４８を連結し、図１４の部分断面図に示すように、計測部４６に洗浄媒体量計測手段４９を設ける。
【００８４】
洗浄媒体自動投入装置４８は洗浄媒体１１を一時たくわえておくホッパー５０と供給スクリュー５１と供給スクリュー５１を駆動する洗浄媒体供給用モータ５２から構成されている。テーブル駆動手段４３の計測部４６に対応する位置には、図１４に示すように、開口部５３が形成され、この開口部５４に洗浄媒体量計測手段４９として例えば加重センサを有する。洗浄媒体量計測手段４９は、図１５のブロック図に示すように、テーブル駆動手段４３のテーブル駆動モータ５４と洗浄媒体供給用モータ５２と吸引バルブ２９と送気バルブ３０の動作を制御する制御装置１５ｃに接続されている。
【００８５】
この洗浄媒体自動投入装置４８と洗浄媒体量計測手段４９を有する乾式洗浄装置１ｂで洗浄媒体投入部４５において洗浄媒体自動投入装置４８から所定の量の洗浄媒体１１を洗浄槽３ａに投入し、この洗浄槽３ａが投入部４４に移動したとき被洗浄体２を投入して回転テーブル４２を一定の送り角度で間欠的に回転させて各洗浄槽３ａに投入した被洗浄体２を洗浄して洗浄槽３ａが１回転して排出部４６に達したら被洗浄体２を洗浄槽３ａから取り出す。この洗浄槽３ａが計測部４７に移動すると、洗浄媒体量計測手段４９で洗浄槽３ａの重量を計測して制御装置１５ｂに送る。制御装置１５ｂはあらかじめ登録された各洗浄槽３ａの重量と洗浄媒体量計測手段４９からの計測値とから洗浄槽３ａ内に残留している洗浄媒体１１の残留量を算出し、算出した洗浄媒体１１の残留量とテーブル駆動手段４３の回転回数を記憶装置に記憶する。そして制御装置１５ｂは洗浄媒体１１の残留量とあらかじめ設定された洗浄媒体１１の量を示す閾値と比較し、洗浄媒体１１の残留量が閾値以下になった洗浄槽３ａを発見した場合、この洗浄槽３ａが洗浄媒体投入部４５の位置に移動したとき、洗浄媒体自動投入装置４８を駆動して洗浄媒体１１を洗浄槽３ａ内に補充させる。このとき洗浄媒体１１の残留量が所定の基準値になるように洗浄媒体自動投入装置４８の駆動を制御する。このようにして洗浄媒体１１の補充を自動化して、各洗浄槽３ａ内の洗浄媒体量を安定化することにより、洗浄品質を安定化させることができるとともに作業者の負荷を低減することができる。
【００８６】
前記説明では洗浄媒体量計測手段４９として加重センサを使用した場合について説明したが、光電センサ等を各洗浄槽３ａに設けて洗浄媒体堆積量や洗浄媒体飛翔数を計測して洗浄媒体１１の残留量を得るようにしても良い。
【００８７】
また、前記説明では洗浄媒体１１の残留量に応じて洗浄媒体自動投入装置４８から洗浄媒体１１を補充する場合について説明したが、洗浄槽３ａが一定回数周回するごと、すなわち洗浄媒体１１の使用回数に応じて洗浄媒体自動投入装置４８から洗浄媒体１１を一定量補充するようにしても良い。
【００８８】
前記乾式洗浄装置１，１ａ，１ｂに有する洗浄槽３，３ａは被洗浄体固定手段７として洗浄媒体１１を通過するに十分な大きさの開口部１２を複数有する金網等で形成した場合について説明したが、図１６の断面図に示すように、洗浄槽３，３ａの洗浄槽本体６の対向する側面にそれぞれ回転自在に設けられ、被洗浄体２を挟み込んで保持する被洗浄体固定具５５ａ，５５ｂと、洗浄槽３と洗浄媒体飛翔手段５との相対移動や、洗浄槽３ａとリニアガイド３５又はテーブル駆動手段４３との相対移動により回転する摩擦車等の回転手段５６と、回転手段５６の回転を被洗浄体固定具５５ａの回転軸に伝達するカサ歯車群等の回転伝達手段５７とで被洗浄体固定手段７を構成し、洗浄槽３内で洗浄媒体１１を飛翔させているとき洗浄媒体飛翔手段５の分離手段１７を揺動しているときや、洗浄槽３ａ内で洗浄媒体１１を飛翔させながら洗浄槽３ａをリニアガイド３５又はテーブル駆動手段４３に沿って移動しているときに、分離手段１７の揺動や洗浄槽３ａの移動に伴って被洗浄体２を回転することにより、被洗浄体２の全面をより高速に洗浄することができる。
【００８９】
前記説明では被洗浄体固定具５５ａを洗浄槽３と洗浄媒体飛翔手段５との相対移動や、洗浄槽３ａとリニアガイド３５又はテーブル駆動手段４３との相対移動により回転する回転手段５６で回転させる場合について説明したが、被洗浄体固定具５５ａの回転軸を駆動モータ等の回転駆動装置で回転させるようにしても良い。
【００９０】
また、図１７に示すように、洗浄槽３，３ａに洗浄槽３，３ａ内に飛翔する洗浄媒体１１を加速させる洗浄媒体加速手段５８を設けると良い。この洗浄媒体加速手段５８としては、図１７に示すように、例えばバッテリーにより駆動するモータ５９に接続された洗浄媒体加速用プロペラ６０や圧縮空気発生装置に連結された空気噴出ノズル等を使用する。そして洗浄媒体加速手段５８を被洗浄体２に対して洗浄槽３ａに気流を吹き込む送気口２７と反対の位置に配置する。このように洗浄媒体加速手段５８を被洗浄体２に対して洗浄槽３ａに気流を吹き込む送気口２７と反対の位置に設けることにより、送気口２７から吹き込む気流により加速された洗浄媒体１１と洗浄媒体加速手段５８からの気流により加速された洗浄媒体１１を被洗浄体２に衝突させて汚れを除去することができ、被洗浄体２の全面をムラなく洗浄できる。
【００９１】
前記説明では洗浄媒体加速手段５８を被洗浄体２に対して洗浄槽３ａに気流を吹き込む送気口２７と反対の位置に設けた場合について説明したが、洗浄媒体加速手段５０を送気口２７から流入する気流を加速するように配置して洗浄媒体１１をより加速することにより、被洗浄体２の強い汚れを早く除去することもできる。
【００９２】
また、洗浄媒体加速手段５８として例えばバッテリーにより駆動するモータ５９に接続された洗浄媒体加速用プロペラ６０を使用することにより、洗浄槽３ａの移動を電源の配線によって妨げずに円滑に行うことができる。
【００９３】
次に、他の乾式洗浄装置について説明する。この乾式洗浄装置１ｃは、図１８（ａ）の斜視図に示すように、洗浄槽３ｂとスライドガイド６１と、スライドガイド６１に連結された吸引管２２と送気管２３及び洗浄槽駆動手段６２とを有する。
【００９４】
洗浄槽３ｂは一定長さを有する円筒状に形成され、両端部６３以外の外周面全体は気体や粉塵を通過させるが洗浄媒体１１が通り抜けられない小孔やスリットを多数有する多孔性部材２４で覆われ、内部に洗浄媒体１１を通過するに十分な大きさの開口部を複数有する袋状の被洗浄体固定手段７が設けられている。この洗浄槽３ｂの両端部６３には開閉できる蓋６４を有し、蓋６４には洗浄槽駆動手段６２と係合する溝や突起等から形成された連結部６５を有する。
【００９５】
スライドガイド５０は、半円筒状のガイド溝６６とガイド溝６６の一部又は前部を覆う半円筒状のカバー６７を有する。ガイド溝６６は、図１３（ｂ）の斜視図に示すように、所定の位置に湾曲した溝状の吸引口２６と送気口２７が交互に設けられている。吸引口２６と送気口２７が設けられ位置のカバー６７の内面には、洗浄槽３ｂの両端部６３をシールするシール部材６８が設けられている。吸引バルブ２９を有する吸引管２２は一方の端部がスライドガイド５０の吸気口２６に連結され、他方の端部はブロワー等の吸引装置に連結されている。送気バルブ３０を有する送気管２３は先端部にノズル２８を有し、ノズル２８がスライドガイド５０の送気口２７に連結され、他方の端部は圧縮機等の圧縮空気供給装置に連結されている。
【００９６】
洗浄槽駆動手段６２は例えばエアーシリンダや送りモータと送りねじ機構等で構成された洗浄槽送り手段６９と、洗浄槽送り手段６９の先端部に設けられた回転モータと、回転モータと洗浄槽３ｂの蓋６４の連結部６５と連結して洗浄槽３ｂに回転を伝達する回転伝達部とを有する洗浄槽回転手段７０を有する。
【００９７】
この乾式洗浄装置１ｃで被洗浄体２を洗浄するとき、スライドガイド６１の外部で洗浄槽３ｂの蓋６４を開にして洗浄槽３ｂ内に被洗浄体２と洗浄媒体１１を投入して被洗浄体２を袋状の被洗浄体固定手段７に固定する。この状態で洗浄槽３ｂの蓋６４を閉じて、図１３（ａ）に示すように、洗浄槽３ｂをスライドガイド６１の投入口に投入する。次に洗浄槽駆動手段６２を洗浄槽３ｂの蓋６４の連結部６５に連結して洗浄槽３ｂをスライドガイド５０の吸引口２６と送気口２７が設けられた所定の位置まで前進させ、洗浄槽３ｂを所定の位置まで前進させたら洗浄槽３ｂの前進を停止して洗浄槽３ｂを回転させる。洗浄槽３ｂが回転したら、吸引バルブ２９と送気バルブ３０を開にして、吸引管２２で洗浄槽３ｂ内の空気を吸引し、送気管２３のノズル２８から圧縮空気を洗浄槽３ｂ内に噴出させて洗浄槽３ｂ内で高速の気流を発生させ洗浄媒体１１を飛翔させて被洗浄体２に衝突させて被洗浄体２を洗浄する。この被洗浄体２を洗浄しているとき、洗浄媒体１１は洗浄槽３ｂの回転に同期して回転しながら飛翔するから、被洗浄体２の全面に確実に衝突させることができ、被洗浄体２の全面をムラなく洗浄することができる。洗浄処理を所定時間行ったら吸引バルブ２９と送気バルブ３０を閉にして洗浄槽３ｂの回転を停止し、洗浄槽３ｂをスライドガイド６１の排出口に送り出して次の洗浄槽３ｂを投入して洗浄処理を行う。このように洗浄槽３ｂを回転しながら洗浄媒体１１を流動させることにより、多孔性部材２４の目詰りを防止しながら被洗浄体２の全面をムラなく洗浄することができる。
【符号の説明】
【００９８】
１；乾式洗浄装置、２；被洗浄体、３；洗浄槽、４；洗浄槽移動手段、
５；洗浄媒体飛翔手段、６；洗浄槽本体、７；被洗浄体固定手段、８；蓋、
９；被洗浄体投入口、１０；ガイド部、１１；洗浄媒体、１２；開口部、
１３；スライドレール、１４；スライドステージ、１５；制御装置、
１６；ステージ駆動手段、１７；分離手段、１８；揺動手段、１９；昇降手段、
２０；分離部材、２１；固定板、２２；吸引管、２３；送気管、２４；多孔性部材、
２５；保持枠、２６；吸引口、２７；送気口、２８；ノズル、２９；吸引バルブ、
３０；送気バルブ、３１；カム、３２；揺動モータ、３３；位置規制手段、
３４；位置センサ、３５；リニアガイド、３６；洗浄槽移動手段、
３７；シール部材、３８；洗浄槽固定用つめ、３９；洗浄槽駆動ベルト、
４０；洗浄槽押付ローラ、４１；ベルト駆動手段、４２；回転テーブル、
４３；テーブル駆動手段、４４；投入部、４５；洗浄媒体投入部、４６；計測部、
４７；排出部、４８；洗浄媒体自動投入装置、４９；洗浄媒体量計測手段、
５０；ホッパー、５１；供給スクリュー、５２；洗浄媒体供給用モータ、
５３；開口部、５４；テーブル駆動モータ、５５；被洗浄体固定具、
５６；回転手段、５７；回転伝達手段、５８；洗浄媒体加速手段、５９；モータ、
６０；洗浄媒体加速用プロペラ、６１；スライドガイド、６２；洗浄槽駆動手段、
６３；洗浄槽両端部、６４；蓋、６５；連結部、６６；ガイド溝、６７；カバー、
６８；シール部材、６９；洗浄槽送り手段、７０；洗浄槽回転手段。
【先行技術文献】
【特許文献】
【００９９】
【特許文献１】特許第２７９１８６２号公報
【特許文献２】特開２００２−２８５８１号公報
【特許文献３】特許第３２８８４６２号公報
【特許文献４】特開２００３−１９０２４７号公報
【図１】
2010264448.tif 000003
【図２】
2010264448.tif 000004
【図３】
2010264448.tif 000005
【図４】
2010264448.tif 000006
【図５】
2010264448.tif 000007
【図６】
2010264448.tif 000008
【図７】
2010264448.tif 000009
【図８】
2010264448.tif 000010
【図９】
2010264448.tif 000011
【図１０】
2010264448.tif 000012
【図１１】
2010264448.tif 000013
【図１２】
2010264448.tif 000014
【図１３】
2010264448.tif 000015
【図１４】
2010264448.tif 000016
【図１５】
2010264448.tif 000017
【図１６】
2010264448.tif 000018
【図１７】
2010264448.tif 000019
【図１８】
2010264448.tif 000020
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
被洗浄体に付着した塵や粉体を高速気流により流動する洗浄媒体により除去する乾式洗浄装置において、
洗浄槽と分離手段と送排気手段及び移動手段を有し、
前記洗浄槽は、上面に被洗浄体を投入して蓋で密閉する被洗浄体投入口を有し、底部全体が開口して形成され、被洗浄体投入口と底部との間に開口部を複数有する被洗浄体固定手段が設けられ、
前記分離手段は、前記洗浄槽の開口部に設けられ、洗浄媒体は通過できない多孔性部材を有し、
前記送排気手段は前記分離手段の多孔性部材を介して前記洗浄槽に気体を導入する送気手段と、前記分離手段の多孔性部材を介して前記洗浄槽内の気体を外部に排出する吸引手段とを有し、
前記移動手段は、前記分離手段と前記送排気手段を相対的に移動して前記送気手段が気体を導入する前記分離手段の領域と前記吸引手段が気体を吸引する前記分離手段の領域を可変することを特徴とする乾式洗浄装置。
【手続補正３】
【補正対象書類名】明細書
【補正対象項目名】００１１
【補正方法】変更
【補正の内容】
【００１１】
この発明は、このような短所を改善し、各種材料で形成された被洗浄体を効率よく洗浄するとともに、連続して投入して処理することができる乾式洗浄装置を提供することを目的とするものである。
【手続補正４】
【補正対象書類名】明細書
【補正対象項目名】００１２
【補正方法】変更
【補正の内容】
【００１２】
この発明の乾式洗浄装置は、被洗浄体に付着した塵や粉体を高速気流により流動する洗浄媒体により除去する乾式洗浄装置において、洗浄槽と分離手段と送排気手段及び移動手段を有し、前記洗浄槽は、上面に被洗浄体を投入して蓋で密閉する被洗浄体投入口を有し、底部全体が開口して形成され、被洗浄体投入口と底部との間に開口部を複数有する被洗浄体固定手段が設けられ、前記分離手段は、前記洗浄槽の開口部に設けられ、洗浄媒体は通過できない多孔性部材を有し、前記送排気手段は前記分離手段の多孔性部材を介して前記洗浄槽に気体を導入する送気手段と、前記分離手段の多孔性部材を介して前記洗浄槽内の気体を外部に排出する吸引手段とを有し、前記移動手段は、前記分離手段と前記送排気手段を相対的に移動して前記送気手段が気体を導入する前記分離手段の領域と前記吸引手段が気体を吸引する前記分離手段の領域を可変することを特徴とすることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【手続補正３７】
【補正対象書類名】明細書
【補正対象項目名】００４６
【補正方法】削除
【補正の内容】
【手続補正３８】
【補正対象書類名】明細書
【補正対象項目名】００４７
【補正方法】削除
【補正の内容】
【手続補正３９】
【補正対象書類名】明細書
【補正対象項目名】００４８
【補正方法】削除
【補正の内容】
【手続補正４０】
【補正対象書類名】明細書
【補正対象項目名】００４９
【補正方法】削除
【補正の内容】